(57)【特許請求の範囲】
【請求項１】
レピア織機のレピアに使用する糸クランプであって、凹部（２４）を有する第１の保持部材（１１）と、ニードルの形態をなす第２の保持部材（１２）と、前記第１の保持部材（１１）及び第２の保持部材（１２）の間に形成された糸を保持するための湾曲した横断面形状を備えた把持用間隙（４１）とを有し、前記把持用間隙（４１）が連続的に増大する横断面形状と、糸取上げ方向に沿って一定または減少する幅とを有する糸クランプにおいて、
第１の保持部材（１１）の凹部（２４）内に糸（３）の第１の偏向位置（５４）を形成すべく第１の保持部材（１１）に沿って配置された偏向部材（１５）と、糸（３）に対する第２の偏向位置（５５）を形成すべく偏向部材（１５）に対して平行に配置されたガイド・ボディ（１６）とを有し、把持用間隙（４１）及び第１の偏向位置（５４）が異なる高さに配置され、前記第１の偏向位置（５４）及び第２の偏向位置（５５）は、同第１の偏向位置（５４）及び第２の偏向位置（５５）で糸（３）をほぼＳ字状に偏向し、さらには第１の偏向位置（５４）及び第２の偏向位置（５５）の間において同糸（３）を把持する把持セクションを形成すべく異なる高さにそれぞれ配置されている糸クランプ。
【請求項２】
前記糸（３）の把持領域を変更すべく偏向部材（１５）及びガイド・ボディ（１６）の間にインサート（６１）を挿入し得る請求項１に記載の糸クランプ。
【請求項３】
前記偏向部材（１５）は弾性材料から形成され、かつほぼ帯状をなす請求項１または２に記載の糸クランプ。
【請求項４】
前記偏向部材（１５）はバネ鋼シートから形成され、かつほぼ帯状をなす請求項１または２に記載の糸クランプ。
【請求項５】
前記ガイド・ボディ（１６）はシート・メタルからなる請求項１乃至４のいずれか一項に記載の糸クランプ。
【請求項６】
前記弾性偏向部材（１５）及びガイド・ボディ（１６）は第１の保持部材（１１）に対して固定されている請求項１乃至５のいずれか一項に記載の糸クランプ。
【請求項７】
前記偏向部材（１５）、インサート（６１）及びガイド・ボディ（１６）は第１の保持部材（１１）に対して固定されており、前記第１の保持部材（１１）は保持セクション（２０）を有し、前記保持セクション（２０）は同保持セクション（２０）及び偏向部材（１５）の間に空間を形成すべく糸入口側に向かってテーパーが付けられている請求項１乃至５のいずれか一項に記載の糸クランプ。
【請求項８】
グリッパ・ヘッド（１）と、請求項１乃至７のいずれか一項に記載の糸クランプ（２）とを有するレピアであって、前記糸クランプ（２）は同糸クランプ（２）を経糸開口頂部に向けて配向されたグリッパ・ヘッド（１）の側部上に配置すべく、グリッパ・ヘッド（１）に対してネジで固定されているレピア。
【請求項９】
請求項８に記載のレピアを有するレピア織機。
【発明の詳細な説明】
【０００１】
【発明の属する技術分野】
本発明はレピア織機のレピアに使用する糸クランプ（Fadenklemme）であって、第１の保持部材と、ニードルの形態をなす第２の保持部材と、第１の保持部材及び第２の保持部材の間に形成された糸を保持するための湾曲した横断面形状を備えた把持用間隙とを有し、把持用間隙が連続的に増大する横断面形状と、糸取上げ方向に沿って一定または減少する幅とを有する糸クランプに関する。更に、本発明はレピアを有するレピア織機に関する。
【０００２】
【従来の技術及び発明が解決しようとする課題】
この種の糸クランプは周知である。糸クランプは第１の保持部材及びニードルの形態をなす第２の保持部材を有する。第１の保持部材及び第２の保持部材は湾曲した横断面形状を備えた把持用間隙を両者間に形成すべく互いに協働する。把持用間隙は連続的に増大する横断面形状と、糸取上げ方向に沿って一定または減少する幅とを有する。
【０００３】
糸クランプは同クランプの把持領域が髪の毛のように細い緯糸の滑らかな表面に対して凹部、即ち凹みを形成し、織布の商品価値を低減する問題点を有する。
本発明は前述した事情に鑑みてなされたものであって、その目的は、緯糸の表面への凹部、即ち凹みの形成を防止する糸クランプと、同糸クランプを有するレピアと、同レピアを有するレピア織機とを提供することにある。
【０００４】
【課題を解決するための手段】
本発明の目的を実現すべく、レピア織機のレピアに使用する糸クランプであって、第１の保持部材と、ニードルの形態をなす第２の保持部材と、第１の保持部材及び第２の保持部材の間に形成された糸を保持するための湾曲した横断面形状を備えた把持用間隙とを有し、把持用間隙が連続的に増大する横断面形状と、糸取上げ方向に沿って一定または減少する幅とを有する糸クランプにおいて、第１の保持部材の凹部内に糸の第１の偏向位置を形成すべく第１の保持部材に沿って配置された偏向部材と、糸に対する第２の偏向位置を形成すべく偏向部材に対して平行に配置されたガイド・ボディとを有し、第１の偏向位置及び第２の偏向位置は同第１の偏向位置及び第２の偏向位置の間において糸をほぼＳ字状に偏向し、さらには同糸を把持する把持セクションを形成すべく異なる高さにそれぞれ配置されている糸クランプを提供する。
【０００５】
更に、糸の把持領域を変更すべく偏向部材及びガイド・ボディの間にインサートを挿入し得る。偏向部材は弾性材料、特にバネ鋼シートから形成され、かつほぼ帯状をなし得る。ガイド・ボディはシート・メタルから形成可能である。また、弾性偏向部材及びガイド・ボディは第１の保持部材に対して固定可能である。更に、偏向部材、インサート及びガイド・ボディを第１の保持部材に対して固定し得る。第１の保持部材は保持セクションを有し得る。保持セクションは同保持セクション及び偏向部材の間に空間を形成すべく糸入口側に向かってテーパーが付けられている。
【０００６】
更に、本発明の目的を達成すべく、グリッパ・ヘッドと、前記の糸クランプとを有するレピアであって、糸クランプが同糸クランプを経糸開口頂部に向けて配向されたグリッパ・ヘッドの側部上に配置すべく、グリッパ・ヘッドに対してネジで固定されているレピアを提供する。更に、前記のレピアを有するレピア織機を提供する。
【０００７】
本発明の糸クランプでは、把持領域内に位置し、かつ長手方向に延びる偏向部材により、別の複数の緯糸偏向位置が形成される。この結果、把持する緯糸の長さが増大するとともに、別の摩擦係合が実現される。従って、緯糸を全体として更に小さな把持力で把持可能である。
【０００８】
【発明の実施の形態】
図１はグリッパ・ヘッド１及び従来の糸クランプ２を有するレピアを示しており、糸クランプ２は緯糸３を保持した状態にある。糸クランプ２はグリッパ・ヘッド１に取付けられている。グリッパ・ヘッド１はレピア・テープ４に対して固定されている。
【０００９】
図１は緯入れ中の緯糸３を把持した位置にあるレピアを示す。図４及び図７は同一の位置に配置されたレピアをそれぞれ示す。
図２において、糸クランプは第１の保持部材１１、第２の保持部材１２、リテーナ部材１３、スリーブ１４、帯状弾性部材、即ち帯状弾性偏向部材１５、ガイド・ボディ１６及び２つのアームを備えたレバー１７を有する。
【００１０】
第１の保持部材１１は一端に形成されたセクション１８と、本体１１上のセクション１８から離間した位置に形成されたガイド・セクション１９と、本体１１の他端に向かってテーパーが付けられた保持セクション２０とを含む長形体である。肩部２１は保持セクション２０に形成されている。肩部２１は緯糸に当接するとともに、糸クランプの長手方向への緯糸の引抜きを防止する。第２の保持部材１２を挿入し得るボア２２はセクション１８内に形成されている。本体１１の端部から延出し、かつ第２の保持部材１２を収容する谷状凹部２４は保持セクション２０内に形成されている。
【００１１】
第２の保持部材１２は円形の横断面を備えたニードルの形態なし、かつピン２５を有する。スリーブ１４は貫通孔２６を有する。リテーナ部材は貫通ボア２７を有する板バネ１３である。貫通ボア２７は長く延びる皿孔２８を有する。
【００１２】
偏向部材１５は一方の端部及びラグ３２にそれぞれ形成された２つの貫通ボア３０，３１を有する。偏向部材１５の他方の端部３３は楔形をなすとともに、自由端を形成する先端と、案内面３４とを有する。楔形セクション３３及びラグ３２の間の面３５は僅かに斜め上方に向かって延びるスロープを備えた偏向面として形成されている。案内面及び偏向面の各エッジは丸く形成することが効果的である。ガイド・ボディ１６は緯糸を案内するガイド・セクション３６を端部に有する中空体である。更に、ガイド・ボディ１６は２つの貫通孔３７を有する。
【００１３】
組み立てた状態において、第２の保持部材１２の一方の端部は取付け位置として機能するセクション１８のボア２２内にジャーナルを介して取付けられている。更に、支持位置として機能する凹部２３内において、第２の保持部材１２は長手方向に直交する方向に案内され、かつ支持されている。更に、第２の支持部材１２は谷状凹部２４の内面から離間した位置に配置されている。
【００１４】
図３に示すように、一方の側部を谷状凹部２４の内面４２によって画定し、他方の側部をニードル２の外周面４３によって画定した間隙４１が形成されている。ニードル２を本体１１内に配置することにより、間隙４１は湾曲した横断面形状を形成する。この際、間隙４１は糸取上げ方向に沿って一定の幅と、連続的に増大する横断面形状とを有する。間隙４１の幅は少なくとも０．００５ｍｍである。
【００１５】
谷状凹部２４の形状に起因して、同谷状凹部２４内に挿入された糸の巻付け角度（図示略）が増大する。この結果、更に大きな表面摩擦が形成される。
第２の保持部材１２は板バネ１３、スリーブ１４及びネジによって第１の保持部材に取付けられている。容易な緯糸の挿入を保証すべく、第２の保持部材１２は屈曲セクション３８を自由端に有する。この結果、保持部材を取付けた際に、ほぼＶ形の入口間隙３９が形成される。
【００１６】
空間を偏向部材１５の先端と、第１の保持部材１１の保持セクション２０の自由端との間に形成すべく、偏向部材１５は第１の保持部材１１の長手方向に延びる側部に対して当接している。案内セクション３６をＶ形入口間隙３９内に形成するか、または同Ｖ形入口間隙３９を越えて形成すべく、ガイド・ボディ１６は偏向部材１５に対して当接している。偏向部材１５及びガイド・ボディ１６は第１の保持部材１１に対してネジ４０で固定されている（図４参照）。
【００１７】
前記の糸クランプ内における緯糸３の通路と、同通路の作用とを図４及び図５に基づいて以下に詳述する。
レピアが緯糸３を保持した場合、一方の端部５１が保持された緯糸３はレピアが直線移動することにより、グリッパ・ヘッド１に形成されたガイド・セクション５２を介して糸クランプの入口間隙３９内に案内される。緯糸の保持を維持することにより、同緯糸は糸クランプ内に更に引込まれ、さらにはほぼ図５に示す位置まで挿入される。糸クランプ内の保持力が所定値に達した場合、緯糸端部５１の保持が解除される。そして、緯糸３はレピアにより経糸開口（図示略）内に挿入される（図４参照）。
【００１８】
図５に示すように、緯糸のセクション５３は間隙４１（図３参照）内に位置し、さらには第２の保持部材１２の周囲に沿って延びている。前記のように、間隙４１は糸取上げ方向に沿って一定の幅と、連続的に増大する横断面形状とを有する。この間隙４１の形状により、第１の保持部材１１及び第２の保持部材１２間に位置する緯糸の長さが増大する。この結果、表面摩擦が増大し、これにより緯糸の保持力が増大する。緯糸３は間隙４１において偏向される以外に、偏向部材１５及びガイド・ボディ１６によってそれぞれ形成される第１の偏向位置５４及び第２の偏向位置５５において更に偏向される。第１の偏向位置５４及び第２の偏向位置５５は異なる高さにそれぞれ配置されている。このため、緯糸３はほぼＳ字状に延び、これにより緯糸３の偏向距離が更に長くなる。垂直方向に延びる糸のセクションが弾性偏向部材１５及びガイド・ボディ１６の各側面間に位置するＳ字状糸通路内に位置することが重要である。
【００１９】
図６に示す糸クランプは前記のクランプと同一のレイアウトを有する。ほぼ帯状をなすインサート６１は緯糸３の把持位置を形成すべく糸クランプに取付けられている。異なる高さを有するインサート６１を選択することにより、異なる把持作用を実現し得る。インサート６１の一方の端部には、貫通孔６２が形成されている。更に、インサート６１は貫通孔６４を備えたラグ６３を有する。インサート６１の他端に位置するセクション６５は先端まで延びている。ラグ６３の反対側に位置し、かつ先端から延びる表面は湾曲した偏向面６６として形成されている。
【００２０】
図７に示すように、偏向部材１５及びインサート６１の各先端は異なる高さに位置する。これにより、緯糸の入口間隙が組立後に形成される（図７参照）。
図８に示すように、緯糸３の通路は図５に示す緯糸の通路とほぼ同一である。前記のように、偏向部材１５及びインサート６１により別の把持位置が形成されている。緯糸３を糸クランプ内に挿入する間、同緯糸３は偏向部材１５及びインサート６１の間を案内される。２つのセクション３４，６５によって形成された入口間隙は偏向部材１５及びインサート６１間への緯糸３の挿入を可能にする。偏向部材１５は緯糸３によって弾性変形される。この結果、偏向部材１５は糸の厚さに応じた保持力を緯糸３上に形成する。
【００２１】
糸通路に関する前記の説明から明らかなように、緯糸３に対する作用は本発明に基づいて新たに提供された保持力を通じて効果的に保持された緯糸のセクション全体に及んでいる。この結果、織り糸上の凹部、即ち凹みの形成を防止し、これにより商品価値の低い織布の形成を防止し得る。
【００２２】
糸クランプは把持領域を形成する第１の保持部材１１及び第２の保持部材１２と、第２の保持部材を保持するリテーナ部材１３と、偏向部材１５と、ガイド・ボディ１６とを有する。偏向部材１５はガイド・ボディ１６及び第１の保持部材１１の間に配置され、さらにはガイド・ボディ１６とともに第１の保持部材１１に対してネジで取付けられている。偏向部材１５により、別の偏向位置及び別の把持領域が形成される。この結果、別の摩擦係合が形成され、これにより緯糸を実質的に小さな把持力で把持し得る。
【００２３】
【発明の効果】
以上詳述したように、本発明によれば、緯糸の表面への凹部、即ち凹みの形成を防止するという優れた効果を発揮する。
【図面の簡単な説明】
【図１】糸クランプを有する従来のレピアの斜視図。
【図２】本発明の第１の実施の形態に基づく糸クランプの分解図。
【図３】本発明の糸クランプの谷状凹部を示す横断面図。
【図４】図２の糸クランプを有するレピアの一部を示す部分斜視図。
【図５】図４のＶ−Ｖ線における横断面図。
【図６】本発明の第２の実施の形態に基づく糸クランプの分解図。
【図７】図６の糸クランプを有するレピアの一部を示す部分斜視図。
【図８】図７のVIII−VIII線における横断面図。
【符号の説明】
１…グリッパ・ヘッド、２…糸クランプ、３…緯糸、１１…第１の保持部材、１２…第２の保持部材、１５…偏向部材、１６…ガイド・ボディ、２０…保持セクション、２４…第１の保持部材の凹部、４１…把持用間隙、５４…第１の偏向位置、５５…第２の偏向位置、６１…インサート。
【図１】
0004071844.tif 000002
【図２】
0004071844.tif 000003
【図３】
0004071844.tif 000004
【図４】
0004071844.tif 000005
【図５】
0004071844.tif 000006
【図６】
0004071844.tif 000007
【図７】
0004071844.tif 000008
【図８】
0004071844.tif 000009